(57)【要約】【課題】  自動販売機に設置した円筒状あるいは半割状の商品見本の蓋部下端近傍に、容易に装着可能で、確実に装着状態を維持できるとともに、簡潔な構成で、安価な商品見本広告シートを提供する。【課題の解決手段】  商品見本広告シート１は、合成樹脂製で、商品の広告を表示する表示片２と、その上下両側にそれぞれ折り用ミシン目３，４を介して設けられた一対の掛止片５，６とからなり、表示片２の中央部には、広告文７を印刷表示した表示部８を設ける一方、一対の掛止片５，６には、円筒状商品見本の蓋部を挿通可能で、挿通後には容易に脱却できないような大きさと形状の掛止孔１１，１２を対称的に設け、これら掛止孔１１，１２が対応するように前記掛止片５，６を重ね合わせた折り曲げ状態で、円筒状商品見本の蓋部に掛止する。【選択図】    図１
2005267202.tif 000002
【特許請求の範囲】
【請求項１】
自動販売機に配置する円筒状又は半割状の商品見本の蓋部下端近傍に着脱可能に掛止する商品見本広告シートであって、合成樹脂シートからなり、商品の広告を表示する表示片と、この表示片を挟んだ両側にそれぞれ設けられた一対の掛止片とを備え、これら一対の掛止片には、前記商品見本の蓋部を挿通可能で、挿通後には容易に脱却できないような大きさと形状の掛止孔を対称的に設け、これら掛止孔が対応するように前記各掛止片を重ね合わせた折り曲げ状態で、前記商品見本の蓋部下端近傍に掛止することを特徴とする自動販売機用商品見本広告シート。
【請求項２】
各掛止孔は、表示片側の径が商品見本の蓋部の径よりも若干大きく、表示片とは反対側の径が商品見本の蓋部の径とほぼ同一である、ほぼ半円形同士を連接してなる変形円形状で、周縁の適所に外方に向けて切欠部及び／又は切り込みを形成したことを特徴とする請求項１記載の自動販売機用商品見本広告シート。
【請求項３】
各掛止孔は、表示片側に円弧が位置する半円状で、その径は商品見本の蓋部の径とほぼ同一であり、周縁の適所に外方に向けて切欠部及び／又は切り込みを形成したことを特徴とする請求項１記載の自動販売機用商品見本広告シート。
【請求項４】
表示片と各掛止片との境には、折り部を設けたことを特徴とする請求項１〜３のいずれか１項に記載の自動販売機用商品見本広告シート。
【発明の詳細な説明】
【技術分野】
【０００１】
本発明は、自動販売機に配置する円筒状又は半割状の商品見本の蓋部下端に着脱可能に掛止する商品見本広告シートに関する。
【背景技術】
【０００２】
従来の自動販売機に配置する円筒状又は半割状の商品見本の蓋部下端に着脱可能に掛止する商品見本広告シートは、広告を表示したシートの一端側に蓋部よりも十分大きな掛止孔を設け、この掛止孔を商品見本の蓋部に挿通して掛止しているのが一般的である。
【発明の開示】
【発明が解決しようとする課題】
【０００３】
ところがこの従来例によると、１枚のシートを、端部に設けた掛止孔を利用して蓋部に掛けるに過ぎないので、掛止状態が不安定であり、掛止作業時に正面からずれた状態で設置されたり、正面に向けて設置しても、自動販売機の扉を開けた際の風圧で正面からずれたりして、広告が正面に対応していない状態になりやすく、広告シートとしての機能を十分に発揮できていないという問題がある。本発明は、この問題を解決した、自動販売機に設置される円筒状又は半割状の商品見本の蓋部に着脱可能に掛止する商品見本広告シートを提供することを目的とする。
【課題を解決するための手段】
【０００４】
この目的を達成するため、本発明の請求項１に係る自動販売機用商品見本広告シートは、合成樹脂シートからなり、商品の広告を表示する表示片と、この表示片を挟んだ両側にそれぞれ設けられた一対の掛止片とからなり、これら一対の掛止片には、前記商品見本の蓋部を挿通可能で、挿通後には容易に脱却できないような大きさと形状の掛止孔を対称的に設け、これら掛止孔が対応するように前記各掛止片を重ね合わせた折り曲げ状態で、前記商品見本の蓋部下端近傍に掛止するものである。
【０００５】
同じく上記目的を達成するため、本発明の請求項２に係る自動販売機用商品見本広告シートは、上記請求項１に係る発明の構成において、各掛止孔は、表示片側の径が商品見本の蓋部の径よりも若干大きく、表示片とは反対側の径が商品見本の蓋部の径とほぼ同一である、ほぼ半円形同士を連接してなる変形円形状で、周縁の適所に外方に向けて切欠部及び／又は切り込みを形成したことを特徴とする。本明細書では、切欠部とは面状のものをいい、切り込みとは線状のものをいう。
【０００６】
同じく上記目的を達成するために、本発明の請求項３に係る自動販売機用商品見本広告シートは、上記請求項１に係る発明の構成において、各掛止孔は、表示片側に円弧が位置する半円状で、その径は商品見本の蓋部の径とほぼ同一であり、周縁の適所に外方に向けて切欠部及び／又は切り込みを形成したことを特徴とする。
【０００７】
同じく上記目的を達成するために、本発明の請求項４に係る自動販売機商品見本広告シートは、上記請求項１〜３のいずれか１項に係る発明の構成において、表示片と各掛止片との境に、ミシン目や肉薄部等からなる折り部を設けたことを特徴とするものである。
【発明の効果】
【０００８】
本発明の請求項１に係る自動販売機用商品見本広告シートによれば、簡潔な構成で、安価に提供できるとともに、自動販売機に配置する円筒状又は半割状の商品見本の蓋部下端近傍に確実に掛止することができ、掛止位置からずれる虞がないという効果を奏する。
【０００９】
本発明の請求項２に係る自動販売機用商品見本広告シートによれば、上記請求項１に係る自動販売機用商品見本広告シートの奏する効果に加えて、円筒状、半割状のいずれの商品見本でも、容易かつ確実な掛止動作が可能であるという効果を奏する。
【００１０】
本発明の請求項３に係る自動販売機用商品見本広告シートによれば、上記請求項１に係る自動販売機用商品見本広告シートの奏する効果に加えて、特に半割状商品見本に対して、容易かつ確実な掛止動作が可能であるという効果を奏する。
【００１１】
本発明の請求項４に係る自動販売機用商品見本広告シートによれば、上記各請求項１〜３に係る自動販売機用商品見本広告シートの奏する効果に加えて、一対の掛止片の重ね合わせ動作を容易になし得るという効果を奏する。
【発明を実施するための最良の形態】
【００１２】
以下、本発明の好適な実施形態を添付図面に基づいて説明する。ここにおいて、図１は商品見本広告シートの第１実施形態を示す正面図、図２はこの商品見本広告シートの各掛止片を重ね合わせた状態を示す斜視図、図３はこの商品見本広告シートを円筒状商品見本の蓋部に掛止した状態を示す斜視図、図４は商品見本広告シートの第２実施形態を示す正面図、図５はこの商品見本広告シートを半割状商品見本の蓋部に掛止した状態を示す斜視図である。
【００１３】
まず、商品見本広告シートの第１実施形態を自動販売機用の円筒状商品見本に適用した場合ついて、図１〜図３に基づいて説明する。はじめに、円筒状商品見本について説明すると、図３に示すように、円筒状商品見本２１は、合成樹脂製で、ボトル状の中空成形商品容器を模した形状であり、蓋部２２を除く本体２３は光透過性を有する。一方、前記蓋部２２は白色に彩色されるか、実物の蓋が取り付けられているもので、光透過性を有しない。前記蓋部２２の下端と、これに続く前記本体２３の首部との境は、前記蓋部２２よりも小径に形成され、凹入状態にある。
【００１４】
次に、商品見本広告シートについて説明する。図１に示すように、商品見本広告シート１は、光透過性を有する合成樹脂シートからなるもので、商品の広告を表示する表示片２と、この表示片２を挟んだ上下両側にそれぞれ折り用ミシン目３，４を介して設けられた一対の掛止片５，６とからなる。
【００１５】
表示片２の中央部には、「本格緑茶」と商品内容の広告文７を印刷表示した表示部８を設けている。前記表示片２には、前記表示部８に沿って幅方向に伸びる折り用ミシン目９，１０を設けている。
【００１６】
同じく図１に示すように、一対の掛止片５，６には、円筒状商品見本２１の蓋部２２を挿通可能で、挿通後には容易に脱却できないような大きさと形状の掛止孔１１，１２を対称的に設け、これら掛止孔１１，１２が対応するように前記掛止片５，６を重ね合わせた折り曲げ状態で、前記円筒状商品見本２１の蓋部２２下端近傍の凹入部分に掛止するものである。前記各掛止孔１１，１２は、表示片２側の径が前記蓋部２２の径よりも若干大きく、前記表示片２とは反対側の径が前記蓋部２２の径とほぼ同一な、ほぼ半円形同士を連接してなる変形円形状である。前記各掛止孔１１，１２の周縁には、同じく対称的に、その適所に外方に向けてほぼ矩形状の切欠部１３，１４と切り込み１５，１６を形成している。なあお、各切欠部１３，１４は、表示片２側の周縁に設けたものよりも、反対側の小径部分の周縁に設けたものをより深く切り欠いて形成している。
【００１７】
本実施形態は以上のように構成したので、図２に示すように、商品見本広告シート１の各折り用ミシン目３，４，９，１０を折り曲げて、各掛止孔１１，１２が対応するように掛止片５，６を重ね合わせ、図３に示すように、前記対応位置した各掛止孔１１，１２を円筒状商品見本２１の蓋部２２に挿通して、その下端近傍の凹入部分に掛止するものである。この掛止動作は、前記各掛止孔１１，１２の表示片２側ほぼ半分の径が前記蓋部２２の径よりも若干大きく、反対側ほぼ半分の径が前記蓋部２２の径とほぼ同一で、しかも切欠部１３，１４と切り込み１５，１６を形成してあるので、容易になし得る。
【００１８】
そして、掛止後においては、各掛止片５，６は、互いの離反方向に弾発変位しようとするので、円筒状商品見本２１の蓋部２２の下端に上位の掛止孔１１の周縁が確実に弾接するとともに、下位の掛止孔１２の周縁は本体２３首部の傾斜部分に弾接することにより、掛止状態は確実に維持され、掛止した位置が左右、あるいは上下にずれることはない。
【００１９】
続いて、商品見本広告シートの第２実施形態を自動販売機用の半割状商品見本に適用した場合ついて、図４及び図５に基づいて説明する。はじめに、半割状商品見本について説明すると、図５に示すように、半割状商品見本５１は、合成樹脂製で、ボトル状の中空成形商品容器を前後に半割状にした形状であり、蓋部５２を除く本体５３は光透過性を有する。一方、前記蓋部５２は白色に彩色されて、光透過性を有しない。前記蓋部５２の下端と、これに続く前記本体５３の首部との境は、前記蓋部５２よりも小径に形成され、凹入状態にある。
【００２０】
次に、商品見本広告シートについて説明する。図４に示すように、商品見本広告シート３１は、光透過性を有する合成樹脂シートからなるもので、商品の広告を表示する表示片３２と、この表示片３２を挟んで上下両側にそれぞれ折り用ミシン目３３，３４を介して設けられた一対の掛止片３５，３６とからなる。
【００２１】
表示片３２の中央部には、「本格緑茶」と商品内容の広告文３７を印刷表示した表示部３８を設けている。前記表示片３２には、前記表示部３８に沿って幅方向に伸びる折り用ミシン目３９，４０を設けている。
【００２２】
同じく図４に示すように、一対の掛止片３５，３６には、半割状商品見本５１の蓋部５２を挿通可能で、挿通後には容易に脱却できないような大きさと形状の掛止孔４１，４２を対称的に設け、これら掛止孔４１，４２が対応するように前記掛止片３５，３６を重ね合わせた折り曲げ状態で、前記半割状商品見本５１の蓋部５２下端近傍に掛止するものである。前記各掛止孔４１，４２は、表示片３２側に円弧が位置する半円状で、その径は前記蓋部５２の径とほぼ同一であり、その周縁には、同じく対称的に、その適所に外方に向けてほぼ矩形状の切欠部４３，４４と切り込み４５，４６を形成している。
【００２３】
本実施形態は以上のように構成したので、商品見本広告シート３１の各折り用ミシン目３３，３４，３９，４０を折り曲げて、各掛止孔４１，４２が対応するように掛止片４５，４６を重ね合わせ、図５に示すように、前記対応位置した各掛止孔４１，４２を半割状商品見本５１の蓋部５２に挿通して、その下端近傍の凹入部分に掛止するものである。この掛止動作は、前記各掛止孔４１，４２の大きさ及び形状を前記蓋部５２とほぼ同一としたうえ、切欠部４３，４４と切り込み４５，４６を形成してあるので、容易になし得る。
【００２４】
そして、掛止後においては、各掛止片３５，３６は、互いの離反方向に弾発変位しようとするので、半割状商品見本５１の蓋部５２の下端に上位の掛止孔４１の周縁が確実に弾接するとともに、下位の掛止孔４２の周縁は本体５３首部の傾斜部分に弾接することにより、掛止状態は確実に維持され、掛止した位置が左右、あるいは上下にずれることはない。
【００２５】
なお、本発明は上述の実施形態に限定されるものではなく、例えば、商品見本広告シート１は半割状商品見本５１に適用することも可能である。また、各商品見本広告シート１，３１の掛止孔１１，１２，４１，４２の大きさや形状、これら掛止孔１１，１２，４１，４２の周縁に設ける切欠部１３，１４，４３，４４、切り込み１５，１６，４５，４６の位置、大きさ、数、あるいは前記切欠部１３，１４，４３，４４の形状は、適用対象となる商品見本２１，５１の蓋部２２，５２に合わせて適宜変更することができる。さらに、折り部としては、各折り用ミシン目３，４，９，１０，３３，３４，３９，４０に換えて、肉薄状の折り線を設けてもよく。またさらに、この折り部があると、商品見本広告シート１，３１の折り曲げ動作が容易となるが、折り部は必ずしも設けなくてもよいものである。
【図面の簡単な説明】
【００２６】
【図１】第１実施形態の商品見本広告シートを示す正面図。
【図２】同じく商品見本広告シートの各掛止片を重ね合わせた状態を示す斜視図。
【図３】同じく商品見本広告シートを円筒状商品見本の蓋部に掛止した状態を示す斜視図。
【図４】第２実施形態の商品見本広告シートを示す正面図。
【図５】同じく商品見本広告シートを半割状商品見本の蓋部に掛止した状態を示す斜視図。
【符号の説明】
【００２７】
１，３１      商品見本広告シート
２，３２      表示片
３，４，９，１０，３３，３４，３９，４０      折り用ミシン目
５，６，３５，３６      掛止片
７，３７      広告文
８．３８      表示部
１１，１２，４１，４２      掛止孔
１３，１４，４３，４４      切欠部
１５，１６，４５，４６      切り込み
２１      円筒状商品見本
２２，５２      蓋部
２３，５３      本体
５１      半割状商品見本
【図１】
2005267202.tif 000003
【図２】
2005267202.tif 000004
【図３】
2005267202.tif 000005
【図４】
2005267202.tif 000006
【図５】
2005267202.tif 000007